(57)【特許請求の範囲】
【請求項１】
光を照射する照射手段と、当該照射手段を収納する筐体とを有し、トナー像が形成され且つ前記筐体から離れた予め定められた定着位置に搬送された記録媒体の表面に前記光を照射して当該トナー像を当該記録媒体に定着させる定着手段と、
前記筐体と前記記録媒体とが離れた位置となる第１状態から、前記定着位置における前記記録媒体の表面が前記筐体によって覆われる第２状態に定着装置の状態を切り替える切替手段と、
前記第１状態のときに前記光の焦点が前記定着位置の前記記録媒体に合うように集光する光学部材と、
前記記録媒体の裏面側に配置され、前記筐体の側へ移動する移動部材と
を備え、
前記切替手段は、前記第１状態においては、前記記録媒体の裏面側に前記移動部材を保持し、前記第２状態においては、前記定着位置における前記記録媒体が前記筐体によって覆われる位置まで前記移動部材を移動させることを特徴とする定着装置。
【請求項２】
前記筐体には、内部を仕切る仕切部材が設けられており、
前記第２状態において、前記筐体内の前記照射手段と当該記録媒体は、前記仕切部材を隔てて各々分離した空間に位置することを特徴とする請求項１に記載の定着装置。
【請求項３】
前記定着位置に気体を送風する送風手段と、
前記切替手段によって前記第１状態から前記第２状態に切り替えられるときに、前記送風手段を停止させる停止手段を備えることを特徴とする請求項１又は２に記載の定着装置。
【請求項４】
前記記録媒体の発火を検知する検知手段を備え、
前記切替手段は、前記検知手段により発火が検知された場合に、前記第１状態から前記第２状態に切り替えることを特徴とする請求項１から３のいずれか一項に記載の定着装置。
【請求項５】
画像データに基づくトナー像を記録媒体に形成する画像形成手段と、
前記画像形成手段によってトナー像が形成された前記記録媒体に当該トナー像を定着させる請求項１から４のいずれか一項に記載の定着装置と
を備えることを特徴とする画像形成装置。
【発明の詳細な説明】
【技術分野】
【０００１】
本発明は、定着装置及び画像形成装置に関する。
【背景技術】
【０００２】
下記特許文献１には、紫外線をロール紙のＵＶインクに照射して定着させる紫外線照射ユニットを備えるインクジェット記録装置において、紙詰まりが発生した場合に、記録ユニットの動作を停止し、搬送ユニットを開放する位置まで紫外線照射ユニットを退避して収納部に収納することで、紙詰まりによる発火を防ぐ技術が開示されている。また、下記特許文献２には、記録媒体のジャム等の異常動作時において、定着装置の加熱部材を外方より加熱する加熱手段を加熱しない位置に移動または加熱しない姿勢に可動することにより熱源供給を停止させ、転写紙の発火等の危険を防止する技術が開示されている。
【先行技術文献】
【特許文献】
【０００３】
【特許文献１】特開２００４−１１４５８０号公報
【特許文献２】特開２００７−３１６１１１号公報
【発明の概要】
【発明が解決しようとする課題】
【０００４】
本発明は、仮に、光照射によって画像を定着する定着装置において記録媒体が発火する事態が生じた場合に、発火が広がる危険性を低減する技術を提供することを目的とする。
【課題を解決するための手段】
【０００５】
本発明の請求項１に係る定着装置は、光を照射する照射手段と、当該照射手段を収納する筐体とを有し、トナー像が形成され且つ前記筐体から離れた予め定められた定着位置に搬送された記録媒体の表面に前記光を照射して当該トナー像を当該記録媒体に定着させる定着手段と、前記筐体と前記記録媒体とが離れた位置となる第１状態から、前記定着位置における前記記録媒体の表面が前記筐体によって覆われる第２状態に定着装置の状態を切り替える切替手段と、前記第１状態のときに前記光の焦点が前記定着位置の前記記録媒体に合うように集光する光学部材と、前記記録媒体の裏面側に配置され、前記筐体の側へ移動する移動部材とを備え、前記切替手段は、前記第１状態においては、前記記録媒体の裏面側に前記移動部材を保持し、前記第２状態においては、前記定着位置における前記記録媒体が前記筐体によって覆われる位置まで前記移動部材を移動させることを特徴とする。
【０００６】
本発明の請求項２に係る定着装置は、上記定着装置において、前記筐体には、内部を仕切る仕切部材が設けられており、前記第２状態において、前記筐体内の前記照射手段と当該記録媒体は、前記仕切部材を隔てて各々分離した空間に位置することを特徴とする。
【０００９】
本発明の請求項３に係る定着装置は、上記定着装置において、前記定着位置に気体を送風する送風手段と、前記切替手段によって前記第１状態から前記第２状態に切り替えられるときに、前記送風手段を停止させる停止手段を備えることを特徴とする。
【００１０】
本発明の請求項４に係る定着装置は、上記定着装置において、前記記録媒体の発火を検知する検知手段を備え、前記切替手段は、前記検知手段により発火が検知された場合に、前記第１状態から前記第２状態に切り替えることを特徴とする。
【００１１】
本発明の請求項５に係る画像形成装置は、画像データに基づくトナー像を記録媒体に形成する画像形成手段と、前記画像形成手段によってトナー像が形成された前記記録媒体に当該トナー像を定着させる上記いずれかの定着装置とを備えることを特徴とする。
【発明の効果】
【００１２】
請求項１に係る発明によれば、光学部材によって定着位置の記録媒体に焦点が合うように集光された光の照射により、当該記録媒体に画像を定着する定着装置において、仮に記録媒体が発火する事態が生じた場合、定着位置における記録媒体が定着手段の筐体に覆われる構成を有しない場合と比べて、発火が広がる危険性を低減することができる。
【００１３】
請求項２に係る発明によれば、記録媒体が発火した場合、照射部材にまで発火が燃え広がらないようにすることができる。
【００１６】
請求項３に係る発明によれば、送風手段を停止させない場合と比べて、仮に記録媒体が発火する事態が生じたとしても発火が広がる危険性を低減することができる。
【００１７】
請求項４に係る発明によれば、発火を検知しない場合と比べて必要なときに第２状態に切り替えることができる。
【００１８】
請求項５に係る発明によれば、光学部材によって定着位置の記録媒体に焦点が合うように集光された光の照射により、当該記録媒体に画像を定着する定着装置において、仮に記録媒体が発火する事態が生じた場合、定着位置における記録媒体が定着手段の筐体に覆われる構成を有しない場合と比べて、発火が広がる危険性を低減することができる。
【図面の簡単な説明】
【００１９】
【図１】実施形態１に係る画像形成装置の構成を表すブロック図である。
【図２】実施形態１に係る画像形成装置の構成を表す模式図でである。
【図３】（ａ）及び（ｂ）は、実施形態１に係る定着部材の外観を表す図である。（ｃ）は、（ａ）に示した定着部材の断面を表す模式図である。
【図４】実施形態１に係る制御部の機能ブロックと他の構成との関係を表す図である。
【図５】実施形態１に係る画像形成装置の動作フローを示す図である。
【図６】実施形態１に係る定着装置の第１状態と第２状態とを表す図である。
【図７】実施形態２に係る定着装置の第１状態を表す図である。
【図８】実施形態２に係る定着装置の第２状態を表す図である。
【図９】変形例１に係る画像形成装置の構成を表す模式図である。
【図１０】変形例２に係る画像形成装置の構成を表すブロック図である。
【発明を実施するための形態】
【００２０】
＜概要＞
本発明に係る定着装置は、トナー像が形成された用紙などの記録媒体に対してフラッシュ光やレーザー光などの光を照射し、記録媒体にトナー像を定着させる。また、記録媒体の搬送中にジャムなどが発生し、定着装置の光が照射される位置に搬送されずに残存している記録媒体が過剰加熱されて発火する事態が生じた場合に、その発火が拡大しないようにする。以下、本発明に係る定着装置を有する画像形成装置について説明する。
＜実施形態１＞
（構成）
図１は、本実施形態に係る画像形成装置の構成例を示す図である。画像形成装置１０は、例えば、本発明に係る記録媒体の一例として、長手方向に連続し、長手方向の予め定められた長さ毎にミシン目を有する記録媒体（以下、連続紙と言う）に電子写真方式により画像を形成する。画像形成装置１０は、制御部１１、画像形成部１２、定着装置１３、及びＵＩ（User Interface）部１４を有する。
【００２１】
制御部１１は、ＣＰＵ（Central Processing Unit）と、ＲＯＭ（Read Only Memory）及びＲＡＭ（Random Access Memory）を含むメモリとを有する。ＣＰＵは、ＲＯＭに記憶されている制御プログラムを実行することにより制御部１１と接続されている各部を制御する。具体的には、制御部１１は、連続紙を画像形成部１２及び定着装置１３へと搬送する搬送制御を行うと共に、ＵＩ部１４を介して指示された画像データに基づくトナー像を連続紙に形成する画像形成処理を画像形成部１２に行わせ、画像形成処理後の連続紙にトナー像を定着させる処理などを定着装置１３に行わせる。
【００２２】
画像形成部１２は、本発明に係る画像形成手段の一例である。画像形成部１２は、制御部１１の制御の下、指示された画像データに基づくトナー像を画像形成部１２に搬送された連続紙に形成する画像形成処理を行う。ここで、画像形成部１２の構成を図２に示す。図２は、本実施形態に係る画像形成装置１０を表す模式図である。図２に示すように、画像形成装置１０には、連続紙Ｐを巻き回して搬送する複数のローラ２０１（２０１ａ、２０１ｂ、２０１ｃ）が設けられている。制御部１１の制御により、ローラ２０１ａは図中矢印方向に回転することで用紙供給源から供給される連続紙Ｐを後述の画像形成ユニット１２Ｙ、１２Ｍ、１２Ｃ、１２Ｋの方へ搬送する。また、ローラ２０１ｂは、ローラ２０１ａより搬送方向の上流側に設けられ、制御部１１の制御により、図中矢印方向に回転することで、連続紙Ｐの搬送方向とは逆方向の力を連続紙Ｐに与える。ローラ２０１ｃは、連続紙Ｐの搬送に従動して回転する。定着装置１３より下流側において定着処理後の連続紙Ｐを画像形成装置１０の外部へ搬送するローラ（不図示）が設けられており、連続紙Ｐは、これらローラの回転により張力が付与されて矢印方向（図中Ｘ軸負方向）に搬送される。画像形成部１２は、各色（イエロー（Ｙ）、マゼンタ（Ｍ）、シアン（Ｃ）、黒（Ｋ））に各々対応する感光体１２０を含む画像形成ユニット１２Ｙ、１２Ｍ、１２Ｃ、１２Ｋによりカラー画像を連続紙Ｐに形成する。画像形成ユニット１２Ｙ、１２Ｍ、１２Ｃ、１２Ｋの構成は共通しているため、画像形成ユニット１２Ｋを例にして画像形成ユニットの構成を具体的に説明する。
【００２３】
画像形成ユニット１２Ｋは、感光体１２０、帯電装置１２１、露光装置１２２、現像装置１２３、転写装置１２４、クリーニング装置１２５を有する。感光体１２０は、表面に光導電膜が形成された円筒状の部材で構成され、表面の露光によって形成された静電潜像を保持し、図示しないモータの駆動により感光体１２０の軸（Ｙ軸方向）を中心として図中矢印の方向に回転する。帯電装置１２１は、感光体１２０の表面に接触して配置され、感光体１２０の回転に従動して回転する帯電ロールを有し、図示しない電圧印加部により帯電ロールに電圧を印加することで感光体１２０の表面をある電位に帯電させる。露光装置１２２は、画像データに応じて感光体１２０の表面を露光して感光体１２０の表面に静電潜像を形成する。現像装置１２３は、感光体１２０の表面に形成された静電潜像を現像剤であるトナーにより現像する。転写装置１２４は、感光体１２０と接触して配置された転写ロールを有し、図示しない電圧印加部により転写ロールに転写用電圧を印加することで、感光体１２０の表面に形成されたトナー像を連続紙Ｐに転写する。クリーニング装置１２５は、感光体１２０の表面に押圧されて配置され、感光体１２０の表面において転写されずに残留したトナーを除去する。
【００２４】
次に、定着装置１３について説明する。定着装置１３は、図２に示すように、画像形成部１２によってトナー像が形成された連続紙Ｐに光を照射してトナー像を連続紙Ｐに定着させる定着部材１３Ａと、制御部１１の指示に応じて連続紙Ｐの位置を移動させる移動機構１３Ｂとを有する。
【００２５】
図３（ａ）（ｂ）は、本実施形態に係る定着部材１３Ａの外観を示す図である。図３（ａ）は、図２のＸ軸方向（連続紙Ｐの搬送方向）から定着部材１３Ａを見た図であり、図３（ｂ）は、図２のＹ軸方向から定着部材１３Ａを見た図である。図３（ｃ）は、図３（ａ）で示した定着部材１３Ａの断面の模式図である。図３（ａ）（ｂ）（ｃ）に示すように、定着部材１３Ａは、上部筐体１３０ａと下部筐体１３０ｂとで構成された筐体１３０を有する。上部筐体１３０ａ及び下部筐体１３０ｂは、例えばレーザー光の熱に耐えうる金属などの素材で形成されている。下部筐体１３０ｂは、出射口の部分を除いた上部筐体１３０ａの下端部に沿って接着された枠体の形状を有する。また、筐体１３０の内部において、上部筐体１３０ａの内側の下端には、レーザー光を透過させるガラスなどの素材で形成された部材１３０ｃが設けられており、部材１３０ｃの上方には、レーザー光を照射する照射部材１３１が支持されている。なお、部材１３０ｃは、本発明に係る仕切部材の一例である。
【００２６】
照射部材１３１は、本発明に係る照射手段の一例である。照射部材１３１は、連続紙Ｐの幅方向（Ｙ軸方向）に並べられた複数のレーザー光発生素子を有するレーザー光源と、レーザー光源から照射されたレーザー光（図３（ｃ）の破線）を平行光にして、搬送される連続紙Ｐの表面（照射部材１３１と対向する面）に焦点が合うように集光する光学部材とを有する。本実施形態では、部材１３０ｃを透過したレーザー光が連続紙Ｐの幅全体に照射されるように複数の照射部材１３１が筐体１３０内に並べて配置されている。以下、搬送される連続紙Ｐの表面にレーザー光の焦点が合っている連続紙Ｐの位置を定着位置と称する。定着装置１３は、制御部１１の搬送制御に応じて各照射部材１３１からレーザー光を照射したり停止したりする。トナー像が形成されている連続紙Ｐが定着位置に搬送されると、定着装置１３が照射するレーザー光によってトナーが溶融し、連続紙Ｐにトナーが定着する。
【００２７】
次に、移動機構１３Ｂについて説明する。移動機構１３Ｂは、定着部材１３Ａの筐体１３０の下面の大きさに相当する板状部材１３３と、板状部材１３３を支持すると共に、板状部材１３３を上下方向に移動させる駆動部１３４とを有する。板状部材１３３は、本発明に係る移動部材の一例である。板状部材１３３は、筐体１３０と対向するように連続紙Ｐの裏面側の定着位置において支持されている。駆動部１３４は、例えば、ステッピングモータなどのモータとボールねじとを有し、ステッピングモータの駆動によりボールねじのねじ軸を回転させて、ボールねじのナットと連結した板状部材１３３を、定着位置から定着部材１３Ａの側（図中Ｚ軸方向）へ予め定められた距離だけ離れた位置まで移動させる。なお、駆動部１３４は、ステッピングモータの駆動により板状部材１３３と接触しながら偏心カムを回転させて板状部材１３３を移動させる構成でもよいし、電動アクチュエータなどを用いて構成してもよい。
【００２８】
定着装置１３は、制御部１１からの指示に応じて、定着位置における連続紙Ｐが定着部材１３Ａの筐体１３０によって覆われるように、駆動部１３４により定着部材１３Ａの側に板状部材１３３を移動させ、移動機構１３Ｂの板状部材１３３と定着部材１３Ａの筐体１３０の間に連続紙Ｐを挟む移動制御処理を行う。
なお、定着位置に連続紙Ｐが位置するように板状部材１３３が支持されている状態を第１状態、移動機構１３Ｂの板状部材１３３と定着部材１３Ａの筐体１３０の間に連続紙Ｐが挟まれ、連続紙Ｐが定着部材１３Ａの筐体１３０によって覆われる状態を第２状態と以下称する。
【００２９】
以上が、画像形成部１２と定着装置１３の構成の説明である。図１に戻り、説明を続ける。ＵＩ部１４は、タッチパネルとキーとを有する。ＵＩ部１４は、ユーザがタッチパネルとキーを操作した内容を示す操作信号を制御部１１に送出し、また、制御部１１の制御の下、指示された画像をタッチパネルに表示する。
【００３０】
次に、制御部１１の機能について説明する。図４は、制御部１１の定着処理及び移動制御処理に係る機能ブロック図である。図４に示すように、制御部１１は、定着制御部３０１と移動制御部３０２とを有する。定着制御部３０１は、定着位置に搬送された連続紙Ｐに定着装置１３からレーザー光を照射し、連続紙Ｐにトナー像を定着させる定着処理を行う。また、移動制御部３０２は、ＵＩ部１４を介したユーザ操作に応じて、定着装置１３において移動機構１３Ｂを駆動して第１状態から第２状態に定着装置１３の状態を切り替える。なお、定着部材１３Ａと定着制御部３０１とが協働することにより本発明に係る定着手段として機能する。また、移動制御部３０２と駆動部１３４とが協働して本発明に係る切替手段を実現し、定着装置１３と制御部１１が協働して本発明に係る定着装置を実現する。
【００３１】
（動作例）
次に、本実施形態に係る画像形成装置１０の動作について説明する。図５は、画像形成装置１０の動作フローを示す図である。画像形成装置１０の制御部１１は、定着装置１３に第１状態を示す信号を送出し、移動機構１３Ｂの駆動部１３４により、図６（ａ）に示す第１状態となるように移動機構１３Ｂの板状部材１３３の位置を定着位置で保持する（ステップＳ１１）。そして、制御部１１は、ユーザによりＵＩ部１４を介して画像形成を指示する操作がなされると（ステップＳ１２：ＹＥＳ）、ローラ２０１を駆動させて連続紙Ｐの搬送を開始すると共に、画像形成部１２において指示された画像データに基づくトナー像を生成して連続紙Ｐに形成する画像形成処理を行う。制御部１１は、定着装置１３の定着部材１３Ａにより、搬送された連続紙Ｐに対してレーザー光を照射して連続紙Ｐにトナー像を定着させる（ステップＳ１３）。なお、トナー像が定着された連続紙Ｐは、図示しない後処理装置に搬送され、後処理装置において、連続紙Ｐに予め形成されているミシン目に沿って裁断される。
【００３２】
画像形成部１２によって連続紙Ｐにトナー像を形成し、定着装置１３において連続紙Ｐにトナー像を定着させて連続紙Ｐを搬送しているときに、例えば連続紙Ｐのジャムなどが発生した場合、定着装置１３において連続紙Ｐが発火し、燃え広がる危険性がある。この場合、本実施形態では、ユーザは、ＵＩ部１４を介して定着装置１３を第２状態に切り替える操作を行う。制御部１１は、ＵＩ部１４を介して第２状態に切り替える指示を受付けると（ステップＳ１４：ＹＥＳ）、第２状態を指示する信号を定着装置１３に送出し、移動機構１３Ｂの駆動部１３４により図６（ｂ）に示す第２状態に切り替える（ステップＳ１５）。駆動部１３４は、定着位置における連続紙Ｐが板状部材１３３と筐体１３０の間に挟まれるまで、予め定められた距離だけ板状部材１３３を定着部材１３Ａの側へ移動させる。図６（ｂ）に示すように、連続紙Ｐが定着部材１３Ａの筐体１３０と移動機構１３Ｂの板状部材１３３とに挟まれ、図６（ａ）の状態と比べて定着位置に酸素が供給されにくくなり、定着位置における連続紙Ｐが発火していたとしても発火の拡大が抑制される。
【００３３】
なお、ステップＳ１２において、制御部１１は、ユーザにより画像形成の指示を受け付けるまでは（ステップＳ１２：ＮＯ）、定着装置１３を第１状態に保持して待機する。また、制御部１１は、ステップＳ１４において、ＵＩ部１４を介して第２状態に切り替える指示を受け付けなければ（ステップＳ１４：ＮＯ）、定着装置１３を第１状態に保持した状態で処理を終了する。
【００３４】
画像形成装置１０において画像形成処理を行っている最中にジャムの発生により連続紙Ｐの搬送が停止し、定着装置１３においてレーザー光の照射を停止させるなどの措置を講じたとしても、レーザー光の照射が停止されるまでに照射されたレーザー光によって定着位置に残っている連続紙Ｐが発火する状況も生じうる。上述した実施形態１では、たとえ、画像形成装置１０において連続紙Ｐが発火する事態が生じたとしても、定着部材１３Ａの筐体１３０によって定着位置における連続紙Ｐが覆われるため、定着位置への酸素の流入が抑制され、その発火が燃え広がらない。また、上述の実施形態１では、定着部材１３Ａの筐体１３０内の照射部材１３１は部材１３０ｃの上方に設けられている。そのため、連続紙Ｐが発火したとしても、第２状態において照射部材１３１と連続紙Ｐは部材１３０ｃを隔てた空間に各々位置することになり、発火から照射部材１３１が保護される。また、第２状態の切り替えの際に照射部材１３１が収納された筐体１３０の位置は変化せず、第２状態から第１状態に戻した際に筐体１３０の位置を調整する必要がない。
【００３５】
＜実施形態２＞
上述した実施形態１では、定着位置を含む連続紙Ｐの裏面側に移動機構１３Ｂを設け、連続紙Ｐの裏面側に設けられた板状部材１３３を定着部材１３Ａの側に移動させることで定着位置への酸素の流入を抑制する例について説明した。本実施形態では、照射部材１３１を収納する筐体の側に移動機構を設ける例について、実施形態１と異なる構成を中心に説明する。
【００３６】
図７（ａ）は、図２のＹ軸方向から見た本実施形態に係る定着装置１３の外観を表す模式図であり、図７（ｂ）は、図７（ａ）の定着装置１３の断面を表す模式図である。図７（ａ）（ｂ）において、実施形態１と共通する構成については実施形態１で使用した符号が付されている。本実施形態では、上述の実施形態１とは異なり、定着装置１３における連続紙Ｐの搬送路には、例えば耐燃性の材料で形成された搬送ベルト２００が設けられている。ローラ２０１の回転に従動して搬送ロール２１１が矢印方向に回転し、搬送ベルト２００上の連続紙ＰはＸ軸負方向に搬送される。図７（ａ）（ｂ）に示すように、定着装置１３は、実施形態１の上部筐体１３０ａの構成と共通する第１筐体２３０Ａと、第１筐体２３０Ａの外側を覆う第２筐体２３０Ｂとで構成された筐体２３０を有する。第１筐体２３０Ａの内部において、レーザー光を透過させる部材１３０ｃの上方には、搬送される連続紙Ｐの表面にレーザー光を照射する照射部材１３１が支持されている。
【００３７】
第２筐体２３０Ｂは、本発明に係る第２筐体の一例である。第２筐体２３０Ｂは、例えば金属などの素材で形成され、第２筐体２３０Ｂを上下動させる駆動部１３４と接続されている。第２筐体２３０Ｂは、駆動部１３４により第１筐体２３０Ａの外周面によって第２筐体２３０Ｂの内周面が移動自在に支持されている。第２筐体２３０Ｂは、第１筐体２３０Ａの外周面から第２筐体２３０Ｂの内側に向けて突起部２３１Ｂが形成され、定着処理を行う場合には、第１筐体２３０Ａの下端部２３１Ａと第２筐体２３０Ｂの突起部２３１Ｂとが接する位置（以下、デフォルト位置と言う）で支持される。駆動部１３４は、上述した実施形態１と共通の構成を有する。駆動部１３４は、例えばステッピングモータなどのモータとボールねじとを有し、第２筐体２３０Ｂの上面部とボールねじのナットとが連結されている。ステッピングモータの駆動によりボールねじが回転すると、第２筐体２３０Ｂは、デフォルト位置から第１筐体２３０Ａの外周面に沿って連続紙Ｐの搬送位置まで移動する。駆動部１３４の構成は、モータと偏心カムとを用いた構成や電動アクチュエータなどを用いてもよい。
なお、本実施形態における定着装置１３と制御部１１が協働して本発明に係る定着装置を実現する。また、定着制御部３０１と第１筐体２３０Ａ及び照射部材１３１が協働して本発明に係る定着手段を実現し、移動制御部３０２と駆動部１３４とが協働して本発明に係る切替手段を実現する。
【００３８】
図７（ａ）（ｂ）に示すように第２筐体２３０Ｂがデフォルト位置にある第１状態から第２筐体２３０Ｂを連続紙Ｐの搬送位置まで移動させると、図８（ａ）（ｂ）に示すように、定着位置における連続紙Ｐが搬送ベルト２００と筐体２３０とで挟まれ、筐体２３０に覆われる第２状態となる。制御部１１は、ユーザにより第２状態に切り替える指示をＵＩ部１４を介して受け付けると、定着装置１３に第２状態を指示する信号を送出し、定着装置１３において第２筐体２３０Ｂを移動させて第１状態から第２状態に切り替える。第２状態の場合には、図８（ｂ）に示すように、定着位置における連続紙Ｐが定着装置１３の筐体２３０によって覆われるため、図７（ｂ）に示す第１状態の場合と比べて、定着位置における酸素の流入が抑制される。そのため、たとえ、画像形成装置１０において連続紙Ｐが発火する事態が生じても、定着位置における連続紙Ｐが定着装置１３の筐体２３０によって覆われない構成と比べて、発火が広がる危険性が低減される。
【００３９】
＜変形例＞
本発明の実施形態について説明したが、本発明は上述した実施形態に限定されることなく、他の様々な形態で実施可能である。例えば、上述の実施形態を以下のように変形して本発明を実施してもよく、各変形例を組み合わせて実施してもよい。以下、本発明の変形例について説明する。
【００４０】
（１）上述した実施形態１及び２において、定着位置においてトナーが溶融する際に発生する煙を除去するために、定着位置に向けて気体を送風する送風手段を設け、第１状態の場合には送風手段を駆動させ、第２状態に切り替える際に送風手段を停止させるようにしてもよい。このような構成を図９に示す。図９は、実施形態１で示した画像形成装置１０に送風手段の一例としてファン１７が設けられている構成例を示している。この場合には、制御部１１は、ファン１７の駆動を制御する送風制御部３０３を有する。送風制御部３０３は、本発明に係る停止手段の一例である。送風制御部３０３は、第１状態のときにはファン１７を駆動させ、第２状態に切り替えられる際にファン１７を停止させる。ファン１７を停止させることにより、ファン１７を停止させない場合と比べて定着位置への酸素の流入がより低減され、連続紙Ｐの発火が広がる危険性が低減する。なお、定着位置に窒素ガスなどの不活性ガスを吹き付けて消火する消火機構を定着装置１３に備え、第２状態に移行する際、定着装置１３は、ファン１７を停止させると共に、消火機構により不活性ガスを定着位置に吹き付けるようにしてもよい。
【００４１】
（２）上述した実施形態１及び２では、ユーザによって第２状態に切り替える指示がなされた場合に第１状態から第２状態に切り替える例を説明したが、例えば、図１０に示すように、画像形成装置１０においてジャムの発生を検知する検知部１５、画像形成装置１０又は定着装置１３において発火の発生を検知する検知部１６（検知手段の一例）の少なくとも一方を画像形成装置１０に設け、ジャムの発生又は発火の発生が検知された場合に第１状態から第２状態に切り替えるようにしてもよい。検知部１６は、例えば光電式の煙センサを用い、予め定められた量の煙を検出したときに発火していることを検知するようにしてもよいし、温度センサを用い、予め定められた温度を検出したときに発火していることを検知してもよい。また、連続紙Ｐの裏面側にレーザー光が達しているか否かを検知し、レーザー光が裏面側に達している場合に発火していることを検知するように構成してもよい。仮に定着装置１３において発火した場合に発火が拡大しないようにすべく第１状態から第２状態へ切り替えるため、ジャムを検知する毎に第２状態へ切り替えるよりも発火を検知したときに第２状態へ切り替える方が第２状態へ切り替える処理が無駄にならない。
【００４２】
（３）上述した実施形態２では、定着装置１３の第２筐体２３０Ｂを連続紙Ｐの側へ移動させて定着位置における連続紙Ｐを定着装置１３の筐体２３０により覆う例を説明したが、第２筐体２３０Ｂを設けず、第１筐体２３０Ａに駆動部１３４を接続して第１筐体２３０Ａを連続紙Ｐ側に移動させ、第１筐体２３０Ａにより連続紙Ｐを覆うように構成してもよい。
【００４３】
（４）上述した実施形態１では、記録媒体を搬送する搬送ベルトを設けない例を説明したが、搬送ベルト上で連続紙を搬送するようにしてもよい。この場合、実施形態１に係る板状部材１３３は記録媒体が搬送される搬送ベルトの裏側に設けるように構成する。また、搬送される記録媒体は用紙のサイズに応じて予め裁断されたカット紙などの連続紙以外の記録媒体でもよい。
【００４４】
（５）上述した実施形態１及び２では、上部筐体１３０ａ及び第１筐体２３０Ａにおいて、上部筐体１３０ａと第１筐体２３０Ａの内部を仕切る部材１３０ｃが設けられ、第２状態において、記録媒体と照射部材１３１が部材１３０ｃを隔てた空間に各々位置する例について説明したが、上部筐体１３０ａ及び第１筐体２３０Ａにおいて部材１３０ｃを設けず、上部筐体１３０ａ及び第１筐体２３０Ａの下端部が開口されている構成でもよい。このように構成した場合、第２状態において、記録媒体と照射部材１３１とは筐体１３０、２３０の共通の空間に収められた状態となる。
【００４５】
（６）上述した実施形態１及び２では、レーザー光を照射して記録媒体にトナー像を定着させる定着装置の例を説明したが、閃光を発するフラッシュランプから記録媒体に光を照射してトナー像を定着させる定着装置でもよい。
【００４６】
（７）上述した実施形態１では、板状部材１３３は、連続紙Ｐの裏面において定着位置における連続紙Ｐの部分の全面と接するように設けられている構成について説明したが、例えば、定着位置における連続紙Ｐの裏面の４辺、又は対向する２辺を支持する支持部材と支持部材を移動させる駆動部を設け、制御部１１により第２状態が指示されたときに、筐体１３０の側に向けて支持部材を移動させるようにしてもよい。要は、第１状態の場合よりも定着位置に流入される酸素が少なくなる構成であれば、第２状態において連続紙Ｐが定着部材１３Ａの筐体１３０側に押し付けられたときに、連続紙Ｐが筐体１３０によって完全に覆われた状態になっていなくてもよい。
【００４７】
（８）上述した実施形態及び変形例における画像形成部は、複数の現像装置が回転体の周方向に沿って設けられたいわゆるロータリー式の現像装置を備えるものでもよいし、モノクロ画像を形成するものであっても良い。
【００４８】
（９）上述した実施形態では、連続紙として、予めミシン目が予め形成された記録媒体を例に説明したが、ミシン目が形成されていない長手方向に連続する記録媒体であってもよい。この場合には、定着装置で定着処理がなされた後、連続紙を裁断する裁断手段を設けるように構成してもよい。
【符号の説明】
【００４９】
１０・・・画像形成装置、１１・・・制御部、１２・・・画像形成部、１３・・・定着装置、１３Ａ・・・定着部材、１３Ｂ・・・移動機構、１４・・・ＵＩ部、１５，１６・・・検知部、１７・・・ファン、１３０，２３０・・・筐体、１３０ａ・・・上部筐体、１３０ｂ・・・下部筐体、１３０ｃ・・・部材、１３１・・・照射部材、１３３・・・板状部材、１３４・・・駆動部、２０１・・・ローラ、２３０Ａ・・・第１筐体、２３０Ｂ・・・第２筐体、３０１・・・定着制御部、３０２・・・移動制御部、３０３・・・送風制御部
【図１】
0005874239.tif 000002
【図２】
0005874239.tif 000003
【図３】
0005874239.tif 000004
【図４】
0005874239.tif 000005
【図５】
0005874239.tif 000006
【図６】
0005874239.tif 000007
【図７】
0005874239.tif 000008
【図８】
0005874239.tif 000009
【図９】
0005874239.tif 000010
【図１０】
0005874239.tif 000011